(57)【要約】  本発明は、移動端末機を利用したビリング代行システム及びビリング代行方法に関し、文字ジロサービスの対象者を登録させる文字ジロ加入者管理部と；文字ジロサービスの加入者が文字ジロ内訳を照会できるようにする文字ジロ加入者サービス管理部；文字ジロサービスの加入者が決済を行うことができるようにする文字ジロ決済管理部；及び決済された文字ジロに対し利用者と精算する文字ジロ精算管理部で構成される。このように構成された本発明によれば、納付者は何時どこでも移動端末を通じて文字ジロを決済することができるため時間が節約され、引越し等により住所が変更されても常に一定に文字ジロを受領することができるので未到着に伴う追加費用が発生せず、決済されたジロの集計と通報が速やかになり、決済情報の統合管理が可能になる。
2005525649.tif 000002
【特許請求の範囲】
【請求項１】
移動通信加入者に移動端末を介し通信サービスを提供する移動通信事業者と、移動通信加入者に所定の請求内訳を文字ジロ（GIRO）で伝送し、伝送された請求内訳に従って決済を受けようとする文字ジロ利用者間にサービスを提供するシステムであり、
文字ジロ利用者、または移動通信加入者を文字ジロサービスの対象者として登録させる文字ジロ加入者管理部と;
移動通信加入者が文字ジロサービスに加入できるようにし、文字ジロサービスに加入された移動通信加入者が移動端末を介し文字ジロ内訳を照会することができるよう制御する文字ジロ加入者サービス管理部;
文字ジロサービスに加入された移動通信加入者が、所定の文字ジロに対する決済を行うことができるよう制御する文字ジロ決済管理部; 及び
決済された文字ジロに対し文字ジロ利用者と精算を行う文字ジロ精算管理部を含むことを特徴とする移動端末機を利用したビリング代行システム。
【請求項２】
前記ビリング代行システムは文字ジロサービスに加入した加入者の情報と、 文字ジロサービスに加入された加入者に伝送されなければならない文字ジロの情報と、文字ジロの決済情報を貯蔵させるデータベースを含むことを特徴とする請求項１に記載の移動端末機を利用したビリング代行システム。
【請求項３】
前記ビリング代行システムは、文字ジロサービスに加入された加入者に伝送されなければならない文字ジロを、Ｅメールまたは短文メッセージサービスを介して伝送させる文字ジロ通知管理部を含むことを特徴とする請求項１に記載の移動端末機を利用したビリング代行システム。
【請求項４】
前記ビリング代行システムは、文字ジロサービスを利用しようとする場合に文字ジロサービスに加入できるようにし、 加入した利用者の利用者番号を生成させ文字ジロ利用者に伝送させる文字ジロ利用者管理部を含むことを特徴とする請求項１に記載の移動端末機を利用したビリング代行システム。
【請求項５】
前記ビリング代行システムは、加入した利用者が発行しようとする文字ジロのモバイルコードを生成させ、生成されたモバイルコードを文字ジロ利用者に伝送させる文字ジロ生成部を含むことを特徴とする請求項１に記載の移動端末機を利用したビリング代行システム。
【請求項６】
移動通信加入者に移動端末を介し通信サービスを提供する移動通信事業者と、移動通信加入者に所定の請求内訳を文字ジロで伝送し、伝送された請求内訳に従い決済を受けようとする文字ジロ利用者間にサービスを提供するシステムであり、
文字ジロ利用者及び移動通信加入者を認証し、文字ジロを認証された移動通信加入者に伝送されるようにし、伝送された文字ジロ情報に基づいて該当する文字ジロを決済処理する文字ジロ事業者システム; 及び
文字ジロを受信しなければならない移動通信加入者の情報と文字ジロ内訳情報を前記文字ジロ事業者システムに伝送させ、前記文字ジロ事業者システムで決済された文字ジロに対し精算処理する文字ジロ利用者システムで構成されたことを特徴とする移動端末機を利用したビリング代行システム。
【請求項７】
前記文字ジロ事業者システムは、文字ジロ利用者または移動通信加入者を文字ジロサービスの対象者として登録させる文字ジロ加入者管理部と;
移動通信加入者が文字ジロサービスに加入できるようにし、文字ジロサービスに加入された移動通信加入者が移動端末を介して文字ジロの内訳を照会することができるよう制御する文字ジロ加入者サービス管理部;
文字ジロサービスに加入された移動通信加入者が、所定の文字ジロに対する決済を行うことができるよう制御する文字ジロ決済管理部; 及び
決済された文字ジロに対し文字ジロ利用者と精算を行う文字ジロ精算管理部を含むことを特徴とする請求項６に記載の移動端末機を利用したビリング代行システム。
【請求項８】
前記文字ジロ事業者システムは文字ジロサービスに加入した加入者の情報と、文字ジロサービスに加入された加入者に伝送されなければならない文字ジロの情報と、文字ジロの決済情報を貯蔵させるデータベースを含むことを特徴とする請求項６に記載の移動端末機を利用したビリング代行システム。
【請求項９】
前記文字ジロ事業者システムは、文字ジロサービスに加入された加入者に伝送されなければならない文字ジロを、Ｅメールまたは短文メッセージサービスを介して伝送させる文字ジロ通知管理部を含むことを特徴とする請求項７に記載の移動端末機を利用したビリング代行システム。
【請求項１０】
前記文字ジロ事業者システムは、文字ジロサービスを利用しようとする場合に文字ジロサービスに加入できるようにし、 加入された利用者の利用者番号を生成させ文字ジロ利用者システムに伝送させる文字ジロ利用者管理部を含むことを特徴とする請求項７に記載の移動端末機を利用したビリング代行システム。
【請求項１１】
前記文字ジロ事業者システムは、加入された利用者が発行しようとする文字ジロのモバイルコードを生成させ、生成されたモバイルコードを文字ジロ利用者システムに伝送させる文字ジロ生成部を含むことを特徴とする請求項７に記載の移動端末機を利用したビリング代行システム。
【請求項１２】
前記文字ジロ利用者システムは、文字ジロを発送しようとする納付者の情報と文字ジロの内訳情報を文字ジロ事業者システムに伝送させる納付者文字ジロ管理部と;
文字ジロ事業者システムで決済された文字ジロに対し、文字ジロ事業者システムと精算されるよう処理する文字ジロ精算管理部を含むことを特徴とする請求項６に記載の移動端末機を利用したビリング代行システム。
【請求項１３】
前記文字ジロ利用者システムは文字ジロ事業者システムに伝送された文字ジロの納付者情報と、文字ジロの内訳情報を貯蔵させる文字ジロデータベースを含むことを特徴とする請求項１２に記載の移動端末機を利用したビリング代行システム。
【請求項１４】
前記文字ジロ利用者システムは、文字ジロの納付者に文字ジロの内訳情報を通知する利用者通知管理部を含むことを特徴とする請求項１２に記載の移動端末機を利用したビリング代行システム。
【請求項１５】
前記文字ジロ利用者システムは文字ジロ事業者システムに文字ジロサービスを利用することを要請し、文字ジロ事業者システムから利用者番号を受信し、 発行しようとする文字ジロの番号を受信する利用者加入部を含むことを特徴とする請求項１２に記載の移動端末機を利用したビリング代行システム。
【請求項１６】
前記文字ジロ利用者システムは文字ジロサービスを介して納付者に請求されなければならない請求内訳を生成させ、 決済された結果を登録させる利用者ビリングシステムを含むことを特徴とする請求項１２に記載の移動端末機を利用したビリング代行システム。
【請求項１７】
移動通信加入者に移動端末を介し通信サービスを提供する移動通信事業者、前記移動通信事業者に加入された加入者に文字ジロサービスを提供するための文字ジロ事業者、及び前記文字ジロサービスを提供する文字ジロ事業者のサービスを利用して移動通信加入者に所定の請求内訳を伝送し、伝送された請求内訳に従い決済を受けようとする文字ジロ利用者間にサービスを提供する方法において、
文字ジロ納付対象者と請求内訳の入力を受ける段階と;
前記入力された文字ジロ納付対象者に請求内訳を通知する段階と;
前記請求された文字ジロ納付対象者から決済情報の入力を受け、決済を行う段階で構成されたことを特徴とするビリング代行方法。
【請求項１８】
前記入力を受ける段階は、文字ジロ利用者から納付対象者情報と請求内訳情報の入力を受けることを特徴とする請求項１７に記載のビリング代行方法。
【請求項１９】
前記入力を受ける段階は、移動通信加入者から文字ジロサービスの加入情報の入力を受けることを特徴とする請求項１７に記載のビリング代行方法。
【請求項２０】
前記入力を受ける段階は、決済者情報の入力を受けることを特徴とする請求項１９に記載のビリング代行方法。
【請求項２１】
前記通知する段階は、利用者の情報に基づいて文字ジロ対象者を選定する段階と;
移動通信加入者情報に基づいて文字ジロ対象者を検証する段階を含むことを特徴とする請求項１７に記載のビリング代行方法。
【請求項２２】
前記通知する段階は、移動通信加入者の情報に基づいて文字ジロ対象者を選定する段階を含むことを特徴とする請求項１７に記載のビリング代行方法。
【請求項２３】
前記通知する段階は、前記請求内訳に固有のモバイルコードを含ませることを特徴とする請求項１７に記載のビリング代行方法。
【請求項２４】
前記通知する段階は、納付者の情報に基づいて納付者に通知することを特徴とする請求項１７に記載のビリング代行方法。
【請求項２５】
前記通知する段階は、決済者の情報に基づいて決済者に通知することを特徴とする請求項１７に記載のビリング代行方法。
【請求項２６】
前記決済を行う段階は、通知されたモバイルコードを識別して決済を行うことを特徴とする請求項１７に記載のビリング代行方法。
【請求項２７】
前記決済を行う段階は、納付者情報に基づいて移動通信加入者から決済を受けることを特徴とする請求項１７に記載のビリング代行方法。
【発明の詳細な説明】
【技術分野】
【０００１】
本発明はビリング代行システム及び方法に関し、さらに具体的には移動通信加入者に請求内訳が含まれた電子的文字ジロを発行し、移動通信加入者から文字ジロの決済を受けることができるシステム及び方法に関する。
【背景技術】
【０００２】
近来、事業者が顧客に多様な料金を請求するための方法の一つにジロ（GIRO）を用いている。このようなジロは利用企業が顧客から各種代金を収納するため顧客に発行されるもので、ジロを発行するためには金融決済院から承認を受けて用いるようにしている。顧客はジロ帳票を受領し、受領したジロ帳票と代金を指定された銀行に納付すれば、収納された資金は利用企業の取引銀行預金口座に振り込まれることになる。
【０００３】
一般に前記のようなジロ帳票には収納する金額が一定していないか、寄付金のように顧客が金額を記載して納付する場合、または発行件数が少量の場合に発行される MICR帳票がある。このようなMICR帳票は収納処理内訳を金融決済院で処理した後、ジロ通知書のイメージを利用企業に提供することにより利用企業が納付者を確認できるようにするものである。
【０００４】
さらに、OCR帳票は収納する金額が一定でなく毎月利用件数が大量の企業で用いるもので、帳票にはジロ番号、顧客照会番号、金額帳票コードが印字される。このようなOCR帳票の収納処理内訳は金融決済院で処理された後、マグネチックテープ、フロッピーディスク、EDI（Electronic Data Interchange）、 または明細票を利用して利用企業に提供される。一方、定額OCR帳票の場合は収納する金額が定額の場合に使用が容易なものである。このような定額OCR帳票の収納処理内訳は金融決済院で処理された後、ジロ通知書のイメージで利用企業に提供される。
【０００５】
しかし、前記のような帳票発行によるジロ処理方法は、次のような問題点がある。
第一、納付者がジロ帳票と現金を持参し銀行を訪問して納付しなければならないため、多数の利用企業から多様なジロを受領して納付しなければならない日付が異なる場合、毎度銀行を訪問しなければならないので不便で時間が多く所要する問題点がある。第二、利用企業から発行されたジロは一般的に郵便を通じて納付者に発送されるが、納付者が引越し等の理由で配達が正常になされなければ、納付しなければならない日付を合わすことができず追加費用を負担しなければならない問題点がある。第三、銀行で決済されたジロの情報は金融決済院で集計された後、利用企業に伝達されるので時間が長くかかることになり、決済の可否に対する結果を直ちに知ることができない。第四、金融決済院から利用企業に伝達される決済内訳の情報はジロの種類により多様な方法で伝達されるため、利用企業は決済情報を容易に管理することができない問題点がある。
【発明の開示】
【０００６】
従って、本発明の目的は前述の諸般問題点を解決するため提案されたものであり、納付者に発送されなければならない請求内訳を電子的に処理できるよう文字ジロを生成して納付者に発送し、納付者は移動端末を介し決済することができる移動端末機を利用したビリング代行システムを提供することである。
【０００７】
さらに、本発明の他の目的は、移動通信事業者と文字ジロ事業者及び文字ジロ利用者間に文字ジロを電子的に発送し、納付者から移動端末を介し決済を受けた後、事業者間に精算処理することができるビリング代行方法を提供することである。
【０００８】
前述の目的を達成するための本発明の特徴によれば、移動端末機を利用したビリング代行システムは移動通信加入者に移動端末を介して通信サービスを提供する移動通信事業者、移動通信加入者に所定の請求内訳を文字ジロで伝送し、伝送された請求内訳に従い決済を受けようとする文字ジロ利用者間にサービスを提供するシステムであり、 文字ジロ利用者または移動通信加入者を文字ジロサービスの対象者として登録させる文字ジロ加入者管理部と; 移動通信加入者が文字ジロサービスに加入することができるよう、文字ジロサービスに加入された移動通信加入者が移動端末を介し文字ジロ内訳を照会することができるよう制御する文字ジロ加入者サービス管理部; 文字ジロサービスに加入された移動通信加入者が所定の文字ジロに対する決済を行うことができるよう制御する文字ジロ決済管理部; 及び決済された文字ジロに対し文字ジロ利用者と精算を行う文字ジロ精算管理部で構成される。
【０００９】
本発明の他の特徴によれば、移動端末機を利用したビリング代行システムは移動通信加入者に移動端末を介し通信サービスを提供する移動通信事業者と、移動通信加入者に所定の請求内訳を文字ジロで伝送し、伝送された請求内訳に従い決済を受けようとする文字ジロ利用者間にサービスを提供するシステムであり、文字ジロ利用者及び移動通信加入者を認証し、文字ジロを認証された移動通信加入者に伝送されるようにし、伝送された文字ジロ情報に基づいて該当する文字ジロを決済処理する文字ジロ事業者システム; 及び文字ジロを受信しなければならない移動通信加入者の情報と文字ジロ内訳情報を前記文字ジロ事業者システムに伝送させ、前記文字ジロ事業者システムで決済された文字ジロに対し精算処理する文字ジロ利用者システムで構成される。
【００１０】
本発明のさらに他の特徴によれば、ビリング代行方法は移動通信加入者に移動端末を介し通信サービスを提供する移動通信事業者、前記移動通信事業者に加入された加入者に文字ジロサービスを提供するための文字ジロ事業者、及び前記文字ジロサービスを提供する文字ジロ事業者のサービスを利用して移動通信加入者に所定の請求内訳を伝送し、伝送された請求内訳に従い決済を受けようとする文字ジロ利用者間にサービスを提供する方法において、文字ジロ納付対象者と請求内訳の入力を受ける段階と; 前記入力された文字ジロ納付対象者に請求内訳を通知する段階と; 前記請求された文字ジロ納付対象者から決済情報の入力を受けて決済を行う段階で構成される。
【発明を実施するための最良の形態】
【００１１】
以下、図１乃至図１２を参照し本発明の実施例を詳しく説明する。
図１は、本発明の実施例に係る移動端末機を利用したビリング代行システムの構成を示した図である。図に示されたように、移動端末機を利用したビリング代行システムは加入者の移動端末１００と、 移動通信事業者システム２００、 文字ジロ事業者システム３００、 及び文字ジロ利用者システム４００に区分される。図で参照符号２１０は移動通信加入者データベース、 ２２０はWAPゲートウェイ、２３０はSMSC（Short Message Service Center）、２４０は加入者ビリングシステム、３１０は文字ジロ加入者サービス管理部、３２０は文字ジロ通知管理部、３３０は文字ジロ生成部、３４０は文字ジロ加入者管理部、３５０は文字ジロ決済管理部、３６０はデータベース、３７０は文字ジロ精算管理部、３８０は文字ジロ利用者管理部、４１０は納付者文字ジロ管理部、４２０は文字ジロデータベース、４３０は利用者通知管理部、４４０は納付者請求内訳データベース、４５０は文字ジロ精算管理部、４６０は利用者ビリングシステム、４７０は利用者加入部、４８０は利用者口座を示す。
【００１２】
先ず、移動通信事業者システム２００の移動通信加入者データベース２１０は移動通信加入者に対する情報を貯蔵している。前記加入者の情報には加入者氏名、移動端末電話番号、住民登録番号、住所などの情報が含まれる。そしてWAPゲートウェイ２２０は、移動端末１００の無線インターネットサービスを行うためのものである。さらに、SMSC２３０は移動端末１００の短文メッセージサービス（Short Message Service）を提供するためのものである。一方、加入者ビリングシステム２４０は、加入者の移動端末使用に伴う料金を課金するための課金内訳を貯蔵するためのものである。
【００１３】
次いで、文字ジロ事業者システム３００の文字ジロ加入者管理部３４０は、文字ジロ利用者または移動通信加入者からの要請に従い文字ジロ加入情報を生成させて貯蔵し、その結果を利用者及び加入者に通知するよう制御する。
【００１４】
本発明で文字ジロは利用者の請求内訳を識別して処理することができるコードを含む。このようなコードを本発明ではいわゆるモバイルコードと言う。前記モバイルコードはジロ用紙に印刷するか、Ｅメールまたは SMSメッセージに含まれて露出されることになる。納付者は前記モバイルコードを通じ請求内訳を照会して決済処理することができる。前記モバイルコードは移動端末加入者ごとに設定されたURL（Uniform Resource Locator）、 数字型ドメイン、または短縮コードで構成することができる。
【００１５】
前記文字ジロ加入者管理部３４０からの情報はデータベース３６０に登録される。そして文字ジロ加入者サービス管理部３１０は前記データベース３６０に登録された情報に基づき、文字ジロ加入者にジロ情報を照会できるようにする。前記文字ジロ加入者サービス管理部３１０は、移動端末１００の加入者が文字ジロサービスに加入しない場合にサービスに加入できるようにし、その結果を文字ジロ加入者管理部３４０に出力させる。さらに、前記文字ジロ加入者サービス管理部３１０は、文字ジロ加入者が所定の文字ジロに対する決済を行おうとする場合に決済できるように処理する。この時、文字ジロ加入者サービス管理部３１０は文字ジロ決済管理部３５０に加入者情報と決済情報を伝送し、その結果を受信して移動端末１００に伝送する。一方、文字ジロ決済管理部３５０は、前記文字ジロ加入者サービス管理部３１０からの要請に従い加入者の文字ジロに対する決済を行ってその結果をデータベース３６０に貯蔵させると共に、文字ジロ加入者サービス管理部３１０に出力する。前記文字ジロ決済管理部３５０は文字ジロ加入者サービス管理部３１０から加入者情報と決済情報を受信した後、その情報に基づいて該当の銀行／カード社５００の決済システムと接続して決済を行うことになる。
【００１６】
一方、前記データベース３６０に貯蔵された文字ジロの決済情報は、文字ジロ精算管理部３７０により発生時または定期的に抽出された後、利用者側に伝送される。そして図で文字ジロ利用者管理部３８０は文字ジロを発行しようとする利用者番号を生成し、該当する文字ジロ利用者システム４００の利用者加入部４７０に伝送する。さらに、文字ジロ生成部３３０は、前記文字ジロ利用者管理部３８０により管理される利用者の情報と前記利用者が発行しようとするジロの種類に従い、文字ジロ加入者に発送されなければならないモバイルコードを生成させた後利用者に伝送する。
【００１７】
引続き文字ジロ利用者システム４００の納付者請求内訳データベース４４０は利用者が告知しなければならない納付者情報を貯蔵する。前記納付者請求内訳データベース４４０に貯蔵された情報は、納付者文字ジロ管理部４１０で周期的に抽出され文字ジロ事業者システム３００の文字ジロ加入者管理部３４０に伝送される。この時、前記文字ジロ加入者管理部３４０から文字ジロ加入者に対する情報が受信されると、納付者文字ジロ管理部４１０は該当納付者に対する文字ジロ加入情報を文字ジロデータベース４２０に登録させる。一方、利用者通知管理部４３０は前記文字ジロデータベース４２０に登録された文字ジロを抽出し、該当納付者に伝送されるようにする。そして、利用者加入部４７０は文字ジロ事業者システム３００の文字ジロ利用者管理部３８０から受信した利用者番号と、文字ジロ生成部３３０から受信したモバイルコードに基づき、文字ジロデータベース４２０の該当文字ジロに情報を登録する。
【００１８】
前記文字ジロ利用者システム４００の文字ジロ精算管理部４５０は、文字ジロ事業者システム３００の文字ジロ精算管理部３７０から受信した文字ジロ精算情報を受信して精算処理されるよう利用者ビリングシステム４６０に伝送する。すると、利用者ビリングシステム４６０は前記文字ジロ精算管理部４５０から受信した文字ジロ精算情報に基づき、利用者ビリングシステム４６０のビリング情報を更新する。
【００１９】
一方、前記文字ジロ事業者システム４００で移動通信加入者２１０から徴収された決済代金は、加入者ビリングシステム２４０と利用者が開設した銀行の口座４８０間に精算処理される。
【００２０】
図２は、図１に示された文字ジロ事業者システム３００の構成を詳しく示した図である。
図で参照符号１００は移動端末、５１０は利用者端末、５２０は納付者端末、 ３１０は文字ジロ加入者サービス管理部、３２０は文字ジロ通知管理部、３３０は文字ジロ生成部、３４０は文字ジロ加入者管理部、３５０は文字ジロ決済管理部、３６３は文字ジロ内訳データベース、３６５は文字ジロ加入者データベース、３７０は文字ジロ精算管理部、３８０は文字ジロ利用者管理部、３８３は一括作業処理制御部、３８５は統計資料生成部、３８７は管理者制御部を示す。そして３９３はＥメール伝送部、３９５はSMS伝送部を示す。
【００２１】
図に示されたように、移動通信加入者は移動端末１００とインターネットを介して文字ジロ事業者システム３００に接続する。前記移動端末１００はPCS、IMT-２０００等の携帯電話、またはPDAなどを含む。この時、移動通信加入者は移動端末１００を介し文字ジロサービスに加入し、文字ジロを決済し、文字ジロ内訳を照会し、各種サービスの提供を受けることができる。そして移動通信加入者は納付者端末（５２０; 例えばパーソナルコンピューター）とインターネットを介して文字ジロ事業者システム３００に接続し、多様なサービスの提供を受けることができる。そして文字ジロサービスの提供を受けようとする利用者は、利用者端末５１０を介して文字ジロサービスに加入することができ、文字ジロ事業者から提供される多様な情報を照会することができる。
【００２２】
一方、一括作業処理制御部３８３は文字ジロ加入者に文字ジロを一括的に伝送するか、利用者に決済情報を一括的に伝送するよう制御する。このような一括作業のスケジュールは、管理者制御部３８７により設定されることになる。さらに、統計資料生成部３８５は文字ジロ加入者に伝送された文字ジロ統計情報と、文字ジロ加入者から決済された文字ジロの統計情報を生成して管理する。このように統計資料生成部３８５で生成された統計情報は、管理者制御部３８７により照会が可能である。 前記統計資料生成部３８５により生成された情報は、管理者制御部３８７の制御により利用者に提供することができる。
【００２３】
図３は、図１に示されたデータベースの構成を概略的に示した図である。ここで３aは文字ジロ内訳データベース３６３のフィールドを示した図であり、図 ３bは文字ジロ加入者データベース３６５のフィールドを示した図である。
【００２４】
図に示されたように、文字ジロ内訳データベース３６３は利用者コード、モバイルコード、発行日、移動端末電話番号、使用期間、納付締切日、決済金額、決済日、延滞手数料及び決済完了可否のフィールドで構成される。そして文字ジロ加入者データベース３６５は加入者コード、氏名、移動端末番号、住民番号及び認証番号フィールドで構成される。
【００２５】
図４は、本発明の実施例に係るビリング代行方法を示したフローチャートである。
先ず、文字ジロを利用して納付者に請求しようとする利用者は、文字ジロ事業者にサービス利用を申請することになる （S２１０）。この時、利用者は利用者端末５１０を介して文字ジロ事業者システム３００に接続することになる。そして文字ジロ事業者システム３００の文字ジロ利用者管理部３８０は、利用者から加入情報の入力を受ける。次いで前記加入情報が正常的に入力された場合に文字ジロ利用者管理部３８０は、入力された加入情報を貯蔵させた後（S２２０）、 新しい文字ジロ利用者コード（番号）を生成させ利用者加入部４７０側に伝送する。この時、文字ジロ生成部３３０は前記加入情報に基づいて利用者が申請したジロの種類に従いモバイルコード（番号）を生成させた後、利用者加入部４７０側に伝送する。
【００２６】
次いで、利用者は納付者請求内訳データベース４４０に登録された情報に基づき、請求しなければならない納付者に対し対象者選定作業を行う（S２３０）。前記納付対象者に対する作業は納付者文字ジロ管理部４１０で行われる。前記納付者文字ジロ管理部４１０は、選定された納付対象者情報を文字ジロ事業者システムに伝送する。前記納付対象者情報には、納付者の移動端末電話番号及び住民登録番号が含まれる。すると、文字ジロ事業者システム３００の文字ジロ加入者管理部３４０は、前記受信された納付対象者情報をデータベース３６０に登録させる（S２４０）。
【００２７】
前記文字ジロ加入者管理部３４０は、移動通信事業者システム２００の移動通信加入者データベース２１０に登録された加入者情報を抽出し（S２５０）、 前記納付者文字ジロ管理部４１０から受信した納付対象者情報を比べて納付対象者を確定させることになる（S２６０）。 そして前記納付者文字ジロ管理部４１０は前記確定された納付対象者の情報をデータベース３６０に貯蔵すると共に、納付者文字ジロ管理部４１０ 側へ伝送する。すると、文字ジロ利用者システム４００の納付者文字ジロ管理部４１０は、前記確定された納付対象者に対し文字ジロが発行されたことで文字ジロデータベース４２０に登録させる。
【００２８】
引続き前記文字ジロ利用者システム４００の利用者通知管理部４３０は、文字ジロデータベース４２０に登録された文字ジロ納付者情報と文字ジロ情報を抽出して加入者側に請求内訳（文字ジロ）を発送する（S２７０）。この時、 利用者通知管理部４３０は、印刷されたジロ帳票を介して加入者に請求内訳を郵便で通知することになる。前記利用者から納付者に通知される請求内訳はＥメール、又はSMSを介して行われることもある。さらに、文字ジロ事業者システム３００の文字ジロ通知管理部３２０は、前記データベース３６０に登録された文字ジロ納付者情報に基づいて加入者の移動端末１００側に請求内訳（文字ジロ）を通知する（S２８０）。この時、前記文字ジロ通知管理部３２０は加入者にＥメール、または短文メッセージサービスを介し文字ジロを発送する。前記加入者に伝送されるＥメール又は短文メッセージは、加入者が簡略に情報が分かるようジロの種類、利用者、及びモバイルコードだけ含むよう構成することができる。
【００２９】
前記のように文字ジロを受信した加入者（または納付者）はジロ帳票、Ｅメール、または短文メッセージを介して文字ジロの番号を認識することになる（S２９０）。このように文字ジロの番号を認識した加入者は移動端末１００、又は納付者端末５２０を介して請求内訳を詳しく照会することができる （S３００）。この時、請求内訳は文字ジロ加入者サービス管理部３１０によりデータベース３６０から抽出され、加入者に提供される（S３１０）。
【００３０】
前記のように請求内訳（文字ジロ）を受信した納付者は、移動端末１００を介して文字ジロ事業者システム３００の文字ジロ加入者サービス管理部３１０と接続し決済を行うことができる。この時、納付者は移動端末１００を介しモバイルコードを入力させた後、決済情報を入力する（S３２０）。すると、文字ジロ加入者サービス管理部３１０は、前記受信したモバイルコードと決済情報及び移動端末電話番号に基づいて加入者を認証した後、決済を行うことになる。前記決済の結果情報は文字ジロ決済管理部３５０の制御によりデータベース３６０に記録される（S３３０）。
【００３１】
前記で決済が正常的に完了すると、該当文字ジロの決済情報は文字ジロ精算管理部３７０の制御に従い文字ジロ利用者システム４００に伝送される（S３４０）。前記文字ジロの発送及び決済結果情報は、統計資料生成部３８５により統計資料で生成された後、利用者側に伝送される（S３６０）。
【００３２】
図５は、図４に示されたビリング代行方法で納付対象者作業の一例を詳しく示したフローチャートである。
先ず、図に示されたように、文字ジロ利用者は文字ジロ対象者を抽出した後（S４１０）、 前記抽出された文字ジロ対象者に対し検証を行う（S４２０）。前記検証は抽出された文字ジロ対象者が、文字ジロ事業者システムに登録されているかを確認することにより可能である。前記文字ジロ対象者の基礎情報は納付者請求内訳データベース４４０に登録されている。この時、前記検証された文字ジロ対象者の情報は文字ジロ利用者システム４００の文字ジロデータベースに登録される（S４５０）。
【００３３】
一方、文字ジロ利用者は前記文字ジロ対象者にしようとする納付者の情報を、文字ジロ事業者システム３００に伝送する（S４３０）。すると、文字ジロ事業者システム３００の文字ジロ加入者管理部３４０は前記利用者から受信された文字ジロ対象者情報を受信し（S４４０）、 前記受信された情報をデータベースに登録させる（S４６０）。 次いで、文字ジロ事業者システム３００の文字ジロ加入者管理部３４０は、前記データベースに登録された文字ジロ対象者の情報と移動通信加入者データベースに登録された情報に基づいて文字ジロ対象者を確定した後、データベースに登録させる（S４７０）。 前記文字ジロ事業者システム３００の文字ジロ加入者管理部３４０により確定された情報は、利用者側に伝送される（S４８０）。
【００３４】
このように文字ジロ事業者システム３００から伝送された文字ジロ対象者情報は、文字ジロ利用者システム４００から受信された後、 文字ジロデータベース４２０に登録される。
【００３５】
図６は、図４に示されたビリング代行方法で文字ジロ対象者を生成する他の例を詳しく示したフローチャートである。ここでは移動通信加入者の申請により、文字ジロサービスの対象者に加入される場合を示したものである。
【００３６】
先ず、移動通信加入者は移動端末１００、または納付者端末５２０を介して文字ジロ事業者に提供した会員約款を照会した後、同意意思を表示することになる（S５１０）。この時、移動通信加入者が同意を表示した場合には、加入者情報の入力を受けることになる（S５２０）。このような加入手続きは、文字ジロ事業者システム３００の文字ジロ加入者サービス管理部３１０でなされる。前記加入者から入力される情報は加入者の住民登録番号、移動電話番号などで構成される。この時、文字ジロの加入者が決済者ではない場合には、決済を代納処理できるよう実際の決済者情報の入力を受ける。
【００３７】
前記のように文字ジロサービスに加入しようとする加入者から情報の入力が完了すると、文字ジロ事業者システム３００の文字ジロ加入者サービス管理部３１０は、前記入力された情報に基づいて移動通信加入者データベース２１０を照会し正常的な加入者であるかを確認する（S５３０）。この時、前記加入者の情報が正常的な場合に文字ジロ加入者管理部３４０は、加入者の固有の識別番号を生成し認証番号に用いることにする。そして、文字ジロ事業者システム３００の文字ジロ加入者管理部３４０は加入者に正常登録されたことを通報し（S５４０）、前記加入者の情報と生成された識別番号をデータベース３６０に登録させる（S５５０）。
【００３８】
図７は、図４に示したビリング代行方法で文字ジロ対象者を生成するさらに他の例を詳しく示したフローチャートである。ここでは移動通信加入者が文字ジロ利用者、または文字ジロ事業者から請求内訳（文字ジロ）を受領した場合を例に挙げて説明する。
【００３９】
先ず、納付者（移動通信加入者）は文字ジロを受領する（S６６０）。 前記文字ジロはジロ帳票、Ｅメール、または短文メッセージで納付者に伝送される。すると、納付者は移動端末１００を介して文字ジロ事業者システム３００の文字ジロ加入者サービス管理部３１０と接続する（S６７０）。そして納付者は移動端末１００を通じてモバイルコードを入力させ、該当する文字ジロを照会する（S６８０）。
【００４０】
このように文字ジロを検索した納付者は、所定の決済情報を入力させて決済を行うことになる（S６９０）。文字ジロ事業者システム３００の文字ジロ加入者サービス管理部３１０は決済処理を行った後、加入者にサービスを引続き利用するのかを確認する（S７００）。この時、サービスを引続き利用しようとする場合に加入者は、移動端末を介して移動端末の電話番号を入力させる（S７１０）。文字ジロ加入者サービス管理部３１０は前記移動端末から入力された移動端末の電話番号を該当する加入者情報に登録させ、サービスが引続き提供することができるようにする（S７２０）。 前記のようにサービスを引続き利用することに確認した加入者の情報は、利用者に選択的に提供することができる。
【００４１】
図８は、図４に示されたビリング代行方法で一般的な決済処理手続きを詳しく示したフローチャートである。
先ず、文字ジロサービス加入者は文字ジロサービス利用者から文字ジロを受領する（S８１０）。 前記文字ジロはＥメール、または短文メッセージサービスを介して受信される。このように文字ジロを受信した加入者は、移動端末を介して文字ジロ事業者システム３００の文字ジロ加入者サービス管理部３１０と接続して（S８２０） 文字ジロを決済する。この時、加入者は移動端末１００を介して前記受信した文字ジロに含まれたモバイルコードを入力させる（S８３０）。
【００４２】
すると、文字ジロ事業者システム３００の文字ジロ加入者サービス管理部３１０は加入者の移動端末からモバイルコードの入力を受け、該当する文字ジロが登録されていれば決済できるようにする。この時、文字ジロ加入者サービス管理部３１０は、加入者の移動端末を介して認証番号を入力させるよう要請する（S８４０）。 加入者が認証番号を入力させると、文字ジロ加入者サービス管理部３１０は前記入力された認証番号に基づいてデータベース３６０を照会する。 そして前記加入者が決済者に登録されているか判断する（S８５０）。
【００４３】
次いで、文字ジロ加入者サービス管理部３１０は前記加入者が決済者に登録されていると、文字ジロの請求内訳をデータベース３６０から抽出して移動端末１００に表示させる。そして加入者から決済を行おうとするクレジットカード、または口座に対する認証情報を入力させる（S８７０）。すると、文字ジロ事業者システム３００の文字ジロ決済管理部３５０は、前記入力された認証情報に基づいて決済を行う。前記文字ジロ決済管理部３５０は銀行／カード社５００の決済システムと接続して承認、口座振込み、または現金決済されるよう処理する（S８８０）。
【００４４】
前記で決済が正常的に処理されると（S８９０）、 文字ジロ事業者システム３００の文字ジロ決済管理部３５０は決済結果をデータベースに登録させる（S９００）。
図９は、図４に示されたビリング代行方法で決済処理手続きのうち代納処理を詳しく示したフローチャートである。即ち、このような場合は文字ジロで通知された内訳を納付者（加入者）が納付しなくとも、登録された決済者が代納できるようにする。
【００４５】
先ず、文字ジロ事業者システム３００の文字ジロ通知管理部３２０は、データベース３６０に登録された情報を照会して代納者（決済者）に登録された情報を抽出する（S１０８０）。 そして文字ジロ通知管理部３２０は、前記抽出した代納者の情報に基づき納付内訳（文字ジロ）を代納者に通報する（S１０９０）。前記通報は移動通信事業者システム２００の短文メッセージサービスセンター２３０を介し、短文メッセージで伝送することができる。さらに、文字ジロ通知管理部３２０は、納付内訳をＥメールを介して代納者に通報することができる。
【００４６】
前記のように通知を受けた代納者は、移動端末を介して文字ジロ事業者システム３００の文字ジロ加入者サービス管理部３１０と接続して文字ジロを決済する。この時、文字ジロ加入者サービス管理部３１０は、代納者の移動端末１００を介してモバイルコードの入力を受ける（S１０３０）。 そして所定の代納者から決済手段情報の入力を受けて該当する文字ジロに対し決済処理する（S１０４０）。文字ジロの代納決済が完了すると、文字ジロ加入者サービス管理部３１０は代納者から文字ジロの代納決済サービスを続けるのか確認を受ける（S１０５０）。この時、代納者が文字ジロの代納決済を続けるものと確認した場合は、その結果情報をデータベースに登録させる（S１０６０）。
【００４７】
図１０は、図４に示したビリング代行方法で重納決済処理手続きを詳しく示したフローチャートである。即ち、ここでは納付者にジロ帳票及び文字ジロを介し請求内訳が伝送され、ジロ帳票及び文字ジロを介し二重に決済された場合の処理を例に示したものである。
【００４８】
先ず、文字ジロ利用者システム４００の利用者通知管理部４３０から文字ジロが納付者に通報される（S１１１０）。さらに、納付者は文字ジロ事業者システム３００の文字ジロ通知管理部３２０から文字ジロの通知を受ける（S１１３０、 S１１４０）。納付者はジロ帳票、Ｅメールまたは短文メッセージを介して納付内訳を受信する。
【００４９】
すると、納付者は移動端末１００を介してモバイルコードを入力させる（S１１６０）。すると、文字ジロ加入者サービス管理部３１０は、前記入力されたモバイルコードに基づいて文字ジロの内訳を抽出した後、納付者が決済することができるようにする（S１１７０）。前記決済結果は、文字ジロ決済管理部３５０の制御に従いデータベース３６０に登録される（S１１８０）。
【００５０】
この時、オフラインのジロ帳票を介して決済が行われ、オンラインを介した文字ジロの決済が行われた場合に、文字ジロ事業者システム３００の文字ジロ精算管理部３７０と文字ジロ利用者システム４００の文字ジロ精算管理部４５０は一度だけ決済されるよう精算処理する。例えば、ジロ帳票を介した決済が早い場合は文字ジロの決済を取消しさせ、文字ジロの決済が早い場合はジロ帳票の決済を取消しさせる（S１１９０、 S１２００）。
【００５１】
図１１は、移動端末を介し図８に示した一般的な決済処理手続きにより決済を行う例を詳しく示した図である。ここでは文字ジロサービスを介し保険料を納付する場合を例に示したものである。
【００５２】
先ず、納付者が移動端末１００を介して文字ジロ事業者システム３００の文字ジロ加入者サービス管理部３１０と接続する。そして該当するモバイルコードを入力させる。この時、文字ジロ加入者サービス管理部３１０はデータベースに前記モバイルコードが登録されていれば、認証番号を入力させるよう納付者の移動端末にメッセージを表示させる。すると、加入者は移動端末１００の認証番号入力欄に登録された認証番号を入力させた後、確認ボタンを押す。
【００５３】
次いで、文字ジロ加入者サービス管理部３１０は、前記納付者が入力させた認証番号をデータベース３６０で照会して納付者を認証する。この時、納付者が正常的に認証されると、文字ジロ加入者サービス管理部３１０は納付者が直ちに決済を行うのか７２０、保険料を確認した後決済するのか７３０の確認を受ける。
【００５４】
引続き、文字ジロ加入者サービス管理部３１０は前記納付者が入力させたモバイルコードに基づいて文字ジロの内訳情報を出力した後、移動端末１００に表示させる。そして決済を行うのか選択するようにする。この時、納付者が移動端末を介した決済を行うことに確認メニュー７４０を選択すれば、文字ジロ決済管理部３５０は納付者がカード番号を入力することができるようにする。すると、納付者は移動端末に表示されたカード情報入力欄７６０を介し、カード番号を入力させたあと確認ボタンを押す。
【００５５】
次いで、文字ジロ決済管理部３５０は納付者がカードの有効期間を入力させることができるよう移動端末１００にメッセージを出力させる。すると、納付者は表示された有效期間入力欄７７０にカードの有效期間を入力させた後、確認ボタンを押す。終りに文字ジロ決済管理部３５０は前記入力されたカード情報に基づき該当する文字ジロに対する決済を行った後、その結果を移動端末に表示させる。前記決済方法は納付者の選択に従い電話料金に賦課され請求されるようにするか、口座振込みなどで処理するようにすることができる。
【００５６】
図１２は、図２に示された文字ジロ加入者サービス管理部３１０で行われる加入者サービス手続きを詳しく示したフローチャートである。このような加入者サービスは、インターネットと接続された納付者端末５２０を介して提供される。
【００５７】
先ず、管理者は管理者制御部３８７を介し加入者にサービスを提供する時に適用されるHTML文書のテンプレートを作成する（S１２２０）。このように入力されたHTML文書のテンプレートはテンプレートデータベースに登録される。
【００５８】
文字ジロ加入者サービス管理部３１０は、文字ジロを案内する場合にデータベースに登録された情報を前記テンプレートデータベースに登録されたHTML文書のテンプレートに基づいて生成させたあと加入者に通知する（S１２５０）。同様に前記文字ジロ加入者サービス管理部３１０は、文字ジロ内訳を前記テンプレートデータベースに登録されたHTML文書のテンプレートに基づいて生成させたあと加入者に通知する（S１２６０）。
【００５９】
このように、本発明の属する技術分野の当業者は本発明がその技術的思想や必須的特徴を変更せずに、他の具体的な形態で実施することができるとのことを理解することができるはずである。それ故、以上で記述した実施例等は全ての面で例示的なものであり、限定的なものではないとして理解しなければならない。本発明の範囲は前記詳細な説明よりは後述の特許請求範囲により示されるものであり、特許請求範囲の意味及び範囲、そしてその等価概念から導き出される全ての変更、または変形された形態が本発明の範囲に含まれるものに解釈されなければならない。
【産業上の利用可能性】
【００６０】
前述したところのような本発明によれば、納付者に発送されなければならない請求内訳を電子的文字ジロで発行し、発行された文字ジロをＥメールまたは短文メッセージサービスを介し納付者に伝送した後、 移動端末を介して文字ジロを決済することができるようにする。
【００６１】
従って、納付者はジロ帳票と現金を持って銀行を訪問せず、何時どこでも移動端末を介し文字ジロを決済することができるため時間が節約される。
さらに、納付者は決済期日になってもジロが受領されなければ、利用企業に連絡して直ちに確認したあと文字ジロを受領して決済することができるため、ジロの未到着による追加費用が発生しない。
【００６２】
さらに、本発明の文字ジロは全て電子的に処理されるため決済されたジロの集計と通報が速やかになり、利用企業は統合管理が可能になる。
【図面の簡単な説明】
【００６３】
【図１】本発明の実施例に係る移動端末機を利用したビリング代行システムの構成を示した図。
【図２】図１に示された文字ジロ事業者システムの構成を詳しく示した図。
【図３】図１に示されたデータベースの構成を概略的に示した図。
【図４】本発明の実施例に係るビリング代行方法を示したフローチャート。
【図５】図４に示されたビリング代行方法で文字ジロ対象者を生成する一例を詳しく示したフローチャート。
【図６】図４に示されたビリング代行方法で文字ジロ対象者を生成する他の例を詳しく示したフローチャート。
【図７】図４に示されたビリング代行方法で文字ジロ対象者を生成するさらに他の例を詳しく示したフローチャート。
【図８】図４に示されたビリング代行方法で一般的な決済手続きを詳しく示したフローチャート。
【図９】図４に示されたビリング代行方法で代納決済処理手続きを詳しく示したフローチャート。
【図１０】図４に示されたビリング代行方法で重納処理手続きを詳しく示したフローチャート。
【図１１】移動端末を介して図８に示された一般的な決済処理手続きにより決済を行う例を詳しく示した図。
【図１２】図２に示された文字ジロ加入者サービス管理部で行われる加入者サービス手続きを詳しく示したフローチャート。
【符号の説明】
【００６４】
１００ : 移動端末
２１０ : 移動通信加入者データベース
２２０ : WAPゲートウェイ
２３０ : SMSC（Short Message Service Center）
２４０ : 加入者ビリングシステム
３１０ : 文字ジロ加入者サービス管理部
３２０ : 文字ジロ通知管理部      
３３０ : 文字ジロ生成部
３４０ : 文字ジロ加入者管理部
３５０ : 文字ジロ決済管理部
３６０ : データベース            
３７０ : 文字ジロ精算管理部
３８０ : 文字ジロ利用者管理部    
４１０ : 納付者文字ジロ管理部
４２０ : 文字ジロデータベース    
４３０ : 利用者通知管理部
４４０ : 納付者請求内訳データベース
４５０ : 文字ジロ精算管理
４６０ : 利用者ビリングシステム  
４７０ : 利用者加入部
４８０ : 利用者口座
【図１】
2005525649.tif 000003
【図２】
2005525649.tif 000004
【図３】
2005525649.tif 000005
【図４】
2005525649.tif 000006
【図５】
2005525649.tif 000007
【図６】
2005525649.tif 000008
【図７】
2005525649.tif 000009
【図８】
2005525649.tif 000010
【図９】
2005525649.tif 000011
【図１０】
2005525649.tif 000012
【図１１】
2005525649.tif 000013
【図１２】
2005525649.tif 000014
【国際調査報告】
2005525649.tif 000015